(57)【要約】【課題】対物レンズ駆動装置の小型化、もしくは複雑化に伴うレイアウト上の問題を解決し、組付性を改善する。【解決手段】中継基板２０の表側にワイヤばね固定ランド２１ａ，２１ｂ，２１ｃと、ワイヤばね固定ランド２１ｃの下方位置に配線パターンを介してコイル線固定ランド２２ｃを形成し、ワイヤばね固定ランド２１ａ，２１ｂの側方に配線パターンを介して小ランドを形成し、この小ランドには導電性のスルーホール２３ａ，２３ｂを形成し、中継基板２０の裏側に、スルーホール２３ａ，２３ｂに導通する小ランドと、この小ランドに配線パターンを介して、コイル線固定ランド２２ａ，２２ｂを形成し、３本のコイル線のうち、１本のコイル線の端部を、中継基板２０の表面のコイル線固定ランド２２ｃに半田固定し、他の２本のコイル線の端部を、中継基板２０の裏面のコイル線固定ランド２２ａ，２２ｂに半田固定する。【選択図】図２
2005267708.tif 000002
【特許請求の範囲】
【請求項１】
対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、
前記中継基板の表面と裏面とに配線パターンを形成し、表面の配線パターンと裏面の配線パターンをスルーホールによって電気的に接続し、前記駆動コイルのコイル線における少なくとも１本を前記裏面の配線パターンに接続したことを特徴とする対物レンズ駆動装置。
【請求項２】
対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、
前記中継基板における前記駆動コイルのコイル線を固定するためのランド部にスルーホールを形成し、該スルーホールに前記コイル線における少なくとも１本を挿通したことを特徴とする対物レンズ駆動装置。
【請求項３】
対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、
前記中継基板の表面および裏面に形成した配線パターンを電気的に接続するためのスルーホールを、前記中継基板における前記駆動コイルのコイル線を固定するためのランド部に形成し、前記スルーホールに少なくとも１本のコイル線を挿通したことを特徴とする対物レンズ駆動装置。
【請求項４】
前記対物レンズ保持部材の、前記中継基板のスルーホールと重なる位置に、貫通孔を形成したことを特徴とする請求項２または３記載の対物レンズ駆動装置。
【請求項５】
前記貫通孔を、前記対物レンズ保持部材における前記中継基板の取り付け面側では前記スルーホールの径に対して小さく形成し、前記中継基板の取り付け面の反対側ではスルーホールの径に対して大きく形成したことを特徴とする請求項４記載の対物レンズ駆動装置。
【請求項６】
対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、
前記中継基板に前記棒状弾性支持部材を固定するためのランド部を形成し、該ランド部に貫通孔を形成し、該貫通孔に前記駆動コイルにおける少なくとも１本のコイル線を挿通し、前記コイル線を前記棒状弾性部材とともに固定したことを特徴とする対物レンズ駆動装置。
【請求項７】
光ディスクに対して照射光を発するレーザ光源と、前記光ディスクからの反射光を受光する受光光学系と、請求項１〜６のいずれか１項記載の対物レンズ駆動装置を備えたことを特徴とする光ピックアップ装置。
【請求項８】
光ディスクを回転駆動する回転駆動系と、前記光ディスクの半径方向に移動自在に設けられた請求項７記載のピックアップ装置とを備えたことを特徴とする光ディスク装置。
【発明の詳細な説明】
【技術分野】
【０００１】
本発明は、光ディスクなどに対して記録／再生を行うため光ビームを光スポットとして集光するために適用される対物レンズ駆動装置、およびその対物レンズを搭載した光ピックアップ装置、並びにその光ピックアップ装置を搭載した光ディスク装置に関するものである。
【背景技術】
【０００２】
光ディスク装置では、レーザの光束を光ディスクに照射し、その反射光を識別することによって情報を読み取っている。ここで、光ディスク装置に搭載されている対物レンズ駆動装置は、反射光から得られる制御信号を用いて、対物レンズをメディアの面振れや、偏芯などの動きに追従するように制御することにより、フォーカシング方向と、トラッキング方向に駆動し、メディアの記録面上にスポットが形成するようにされている。
【０００３】
さらに近年、高密度化のため、小さなスポットを形成することが必要となってきており、このためには対物レンズのＮＡを大きくするか、レーザの波長を短くすることが考えられる。ここで、ＮＡを大きくしたり、レーザの波長を短くすると、対物レンズの光軸とメディアの垂直度がずれることにより、コマ収差が発生しやすくなり、スポットの品質が劣化する、これによって、記録再生品質が劣化してしまうという問題が生じる。そのため高密度化のためにはメディアと対物レンズの傾きの精度向上が必要となる。
【０００４】
近年では特に精度が厳しくなり、メディアと対物レンズの傾き（チルト）を積極的に補正する機能をもった光ディスク装置が提供されている。チルトを補正する方式はいくつかあるが、対物レンズを含む対物レンズ駆動装置の可動部をメディアの傾きに追従させる方式は低コストで省スペースであり、また可動部が軽量であるため高速なメディアの傾きにも追従させることができるため、補正能力が高い方式である。
【０００５】
ところで、対物レンズ駆動装置には、高速メディアに精度良く追従させるため、高出力加速度、および高帯域性が要求される。そこで有利な方式として対物レンズを含む可動部側に駆動コイルを備えたムービングコイルタイプの対物レンズ駆動装置がある。この方式では質量の大きい磁石を固定部に配置する構成であるため、可動部を軽量に構成しやすく、上記の特性に有利である。
【０００６】
（従来例１）
図１３は従来例１としての対物レンズ駆動装置を示す斜視図であり、１は対物レンズ、２は対物レンズ１を中央上部に設置した可動部である対物レンズ保持部材、３は対物レンズ保持部材２に保持されているフォーカス駆動コイル、４は対物レンズ保持部材２に保持されているトラック駆動コイル、５はフォーカス駆動コイル４に重ねて設けられているラジアルチルト駆動コイル、６は対物レンズ保持部材２を保持する６本のワイヤばね、７は可動部のタンジェンシャル方向に対向させてベース８に配置した固定部材、８はベース、９はフォーカス駆動コイル３およびトラック駆動コイル４に対向設置された駆動用磁石、１０はワイヤばね６と接続して外部から電流を供給する配線基板、１１は対物レンズ保持部材２のトラッキング方向両側側面に取り付けられた中継基板である。
【０００７】
対物レンズ１を保持する対物レンズ保持部材２のタンジェンシャル方向における両側側面にはフォーカス駆動コイル３，トラッキング駆動コイル４およびラジアルチルト駆動コイル５が取り付けられている。それぞれのコイルの端部は中継基板１１に電気的に接続されている。
【０００８】
対物レンズ１を保持する対物レンズ保持部材２はタンジェンシャル方向を長手方向とするワイヤばね６によって固定部材７に対して弾性的に支持されている。各ワイヤばね６はタンジェンシャル方向に平行であり、可動部のトラッキング方向両側に、３本ずつフォーカシング方向に並列配置されている。
【０００９】
さらに、中継基板１１には、可動部をフォーカシング方向，トラッキング方向，ラジアルチルト方向に変位可能に支持する導電性のワイヤばね６の一端部が、配線基板１１に固定かつ中継基板１１の配線パターンに電気的されて接続されており、他端部は配線基板１１に固定かつ配線基板１１のプリント配線に電気的に接続されている。
【００１０】
また、駆動コイル３，４，５に対向して駆動用磁石９が設置されており、駆動用磁石９はベース８に一体に形成されたヨークに固定されている。ベース８の一部には固定部材７が取り付けられ、配線基板１１が固定されることにより、可動部がワイヤばね６によって片持ち支持されるようになる。そして、外部から配線基板１１を通して可動部の駆動コイル３，４，５に電流を供給している。
【００１１】
図１４は中継基板１１付近の拡大図であり、中継基板１１における各駆動コイル３，４，５の固定位置にはワイヤばね固定ランド１２が形成されており、さらに中継基板１１には、３つのワイヤばね固定ランド１２にそれぞれ対応して電気的に接続しているコイル線固定ランド１３が形成されている。そして、３つのコイル線固定ランド１３にそれぞれ駆動コイル３，４，５の端部が電気的に接続される。
【００１２】
このように、６本のワイヤばね６の中の２本がフォーカス駆動コイル３への給電、２本がトラック駆動コイル４への給電、残る２本がラジアルチルト駆動コイル５への給電に用いることができるように配線することにより、外部から配線基板１１、ワイヤばね６を介して各駆動コイル３，４，５に電流を供給することが可能になり、対物レンズを各方向に駆動することができる。
【００１３】
（従来例２）
図１５は従来例２としての対物レンズ駆動装置を示す斜視図である。従来例１は、３軸駆動対物レンズ駆動装置でかつ支持構造が片側支持のものであることに対し、従来例２は、４軸駆動対物レンズ駆動装置でかつ支持構造が両側支持のものの一例である。なお、図１３，図１４に示す部材と同一の部材、または同一機能の部材については同一の符号を付して、詳細な説明は省略する。
【００１４】
従来例１においては可動部が６本のワイヤばね６によって支持されていることに対し、従来例２においては可動部が８本のワイヤばね６によって支持されている。図１５に示すように各ワイヤばね６はタンジェンシャル方向に平行であり、可動部のトラッキング方向両側において４本ずつ、フォーカシング方向に垂直な１つの平面上に並列配置されている。
【００１５】
さらに、可動部に対してラジアルチルト方向両側に固定部材７がベース８上に配置されており、対物レンズ１の光軸を中心として可動部の２つ対角方向両側に２本ずつワイヤばね６が配置される。さらに、中継基板１１には、ワイヤばね６の一端部が固定かつ中継基板１１のプリント配線に電気的されて接続されており、他端部は配線基板１０に固定かつ配線基板１０のプリント配線に電気的に接続されている。そして、配線基板１０，１０が固定部材７，７に固定されることにより、可動部がタンジェンシャル方向両側からワイヤばね６によって支持されるようになる。
【００１６】
ところで、従来例１においては、チルト駆動がラジアルチルト方向のみであったが、さらなる高密度化によりチルトマージンが狭くなった場合には、タンジェンシャルチルト方向の補正も必要になる。従来例２においては、可動部の一方のタンジェンシャル方向側面に設けたフォーカス駆動コイル３をフォーカス駆動コイル３ａ、他方のタンジェンシャル方向側面に設けたフォーカス駆動コイル３をフォーカス駆動コイル３ｂとした場合、フォーカス駆動コイル３ａ，フォーカス駆動コイル３ｂにそれぞれ独立した給電を行い、フォーカス方向の推力に差を設けることによって、タンジェンシャルチルト方向の駆動を可能になる。
【００１７】
図１６は中継基板１１付近の拡大図であり、中継基板１１における各駆動コイル３ａ，３ｂ，４，５の固定位置にはワイヤばね固定ランド１２が形成されている。さらに中継基板１１には、４つのワイヤばね固定ランド１２にそれぞれ対応して電気的に接続するコイル線固定ランド１３が形成されている。そして、これら４つのコイル線固定ランド１３にそれぞれ駆動コイル３ａ，３ｂ，４，５の端部が電気的に接続される。
【００１８】
このように、８本のワイヤばね６の中の２本がフォーカス駆動コイル３ａへの給電、２本がフォーカス駆動コイル３ｂへの給電、２本がトラック駆動コイル４への給電、残る２本がラジアルチルト駆動コイル５への給電に用いることができるように配線することにより、外部から配線基板１０、ワイヤばね６を介して各駆動コイル３ａ，３ｂ，４，５に電流を供給することが可能になり、対物レンズ１を各方向に駆動することができる。
【００１９】
なお、従来におけるこの種の技術としては、他にも、特許文献１，２に記載されたものがある。
【特許文献１】特開２０００−１６３７７４号公報
【特許文献２】特開２００２−１５０５８４号公報
【発明の開示】
【発明が解決しようとする課題】
【００２０】
しかし、従来例１においては、小さな中継基板上に複数のコイル線やワイヤばねを配置することが非常に困難であり、配置することができたとしても、異なるランド間の距離が近い場合、コイル線端部を固定した後、別の箇所を半田するときに、既に固定した部分が外れてしまうことが問題となっていた。またショートの危険性が高かったり、組み付けが難しく、組付コストが高くなってしまうという問題があった。
【００２１】
また、従来例２のような４軸駆動の場合には駆動コイルが増加するため、中継基板には少なくとも８本のコイル線および棒状弾性ワイヤばねを接続する必要があるため、さらに中継基板上のレイアウトが厳しくなってくる。したがって、上述した従来例１の問題点と同じような問題点が従来例２にも存在するが、４軸にした分、さらに状況は悪化する。
【００２２】
また、高密度化によって要求されるサーボの制御精度が厳しくなるために可動部の弾性変形による高次共振特性を向上させる必要があるが、このためには可動部の小型、軽量化が必須である。
【００２３】
本発明は、対物レンズ駆動装置の小型化、もしくは複雑化に伴うレイアウト上の問題を解決し、組付性を改善することを実現した対物レンズ駆動装置，光ピックアップ装置および光ディスク装置を提供することを目的とする。
【課題を解決するための手段】
【００２４】
前記目的を達成するため、請求項１に係る発明は、対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、前記中継基板の表面と裏面とに配線パターンを形成し、表面の配線パターンと裏面の配線パターンをスルーホールによって電気的に接続し、前記駆動コイルのコイル線における少なくとも１本を前記裏面の配線パターンに接続したことを特徴とする。このように、駆動コイルと棒状弾性支持部材の間の電気的配線の一部を、スルーホールを介して中継基板の裏面を這いまわすことにより、複数のコイル線が近接しないようにすることが可能となり、コイル間の電流のショートを防ぐことができるとともに、組付性を向上させることが可能になる。
【００２５】
請求項２に係る発明は、対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、前記中継基板における前記駆動コイルのコイル線を固定するためのランド部にスルーホールを形成し、該スルーホールに前記コイル線における少なくとも１本を挿通したことを特徴とする。このように、コイル線を中継基板のスルーホールに挿通させることによって、コイル線の位置を確定し、組付けを確実に行うことができる。また、別箇所を半田付けしている際に、既固定部の半田箇所が融解しても、コイル線がランドから外れないようにすることができる。
【００２６】
請求項３に係る発明は、対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、前記中継基板の表面および裏面に形成した配線パターンを電気的に接続するためのスルーホールを、前記中継基板における前記駆動コイルのコイル線を固定するためのランド部に形成し、前記スルーホールに少なくとも１本のコイル線を挿通したことを特徴とする。このように、中継基板の裏面に配線を這いまわすためのスルーホールとコイル線の挿通する貫通孔を兼用することができる。
【００２７】
請求項４に係る発明は、請求項２または３に係る発明において、前記対物レンズ保持部材の、前記中継基板のスルーホールと重なる位置に、貫通孔を形成したことを特徴とする。このように構成したことにより、対物レンズ保持部材で中継基板を裏面から保持しつつ、中継基板にコイル線を挿通する構成とすることができる。
【００２８】
請求項５に係る発明は、請求項４に係る発明において、前記貫通孔を、前記対物レンズ保持部材における前記中継基板の取り付け面側では前記スルーホールの径に対して小さく形成し、前記中継基板の取り付け面の反対側ではスルーホールの径に対して大きく形成したことを特徴とする。このように、対物レンズ保持部材に設けた貫通孔でコイル線をガイドすることにより、中継基板のスルーホールに挿通しやすくし組付け性を向上することができる。
【００２９】
請求項６に係る発明は、対物レンズと、該対物レンズを保持する対物レンズ保持部材と、該対物レンズ保持部材に固定された駆動コイルと、前記対物レンズ保持部材を移動可能に支持する複数の導電性の棒状弾性支持部材と、前記棒状弾性支持部材の可動部側端部に設けられ、前記駆動コイルと前記棒状弾性支持部材を電気的に接続するための配線パターンを有する中継基板とを備えた対物レンズ駆動装置において、前記中継基板に前記棒状弾性支持部材を固定するためのランド部を形成し、該ランド部に貫通孔を形成し、該貫通孔に前記駆動コイルにおける少なくとも１本のコイル線を挿通し、前記コイル線を前記棒状弾性部材とともに固定したことを特徴とする。このように構成したことにより、コイル線の端部と棒状弾性支持部材の半田作業を同時に行うことによって、作業工数を減らすことができる。中継基板を小さくすることによって、対物レンズ駆動装置を小型化することができる。
【００３０】
請求項７に係る発明は、光ディスクに対して照射光を発するレーザ光源と、前記光ディスクからの反射光を受光する受光光学系と、請求項１〜６のいずれか１項記載の光ディスクの対物レンズ駆動装置を備えたことを特徴とする。このように、小型かつ高機能で組付性の良い対物レンズ駆動装置を用いることにより、良好なスポットを維持し、良好な信号を得ることができる光ピックアップを低コストに提供することができる。
【００３１】
請求項８に係る発明は、光ディスクを回転駆動する回転駆動系と、前記光ディスクの半径方向に移動自在に設けられた請求項７記載のピックアップ装置とを備えたことを特徴とする。このように、小型かつ高機能で組付性の良い対物レンズ駆動装置を用いることで、良好なスポットを維持し、データの読み書きを良好に行うことが可能な光ディスクドライブ装置を低コストに提供することができる。
【発明の効果】
【００３２】
本発明によれば、対物レンズ駆動装置の小型化、もしくは複雑化に伴うレイアウト上の問題を解決し、また組付性を改善し、コストを低減することができる。
【発明を実施するための最良の形態】
【００３３】
以下、本発明の実施形態について、図面を参照しながら詳細に説明する。
【００３４】
（実施形態１）
図１は本発明の実施形態１を説明するための対物レンズ駆動装置の斜視図であり、２０は中継基板を示す。なお、図１において、図１３に示す従来例１における部材と同一の部材、または同一機能の部材については同一の符号を付して、詳細な説明は省略する。
【００３５】
対物レンズ１は対物レンズ保持部材２に保持されており、対物レンズ保持部材２のタンジェンシャル方向における両側の側面には駆動コイル（フォーカス駆動コイル３、トラッキング駆動コイル４、ラジアルチルト駆動コイル５）が取り付けられ、またトラッキング方向における両側の側面には中継基板２０が取り付けられ、可動部が構成されている。可動部は、６本の導電性のワイヤばね６によって、対物レンズ１をフォーカシング方向，トラッキング方向，ラジアルチルト方向に移動可能に支持されている。
【００３６】
また、駆動コイル３，４，５に対向して駆動用磁石９が設置されており、駆動用磁石９はベース８に一体に形成されたヨークに固定されている。ベース８の一部には固定部材７が取り付けられ、この固定部材７に配線基板１０が固定されている。配線基板１０に前述のワイヤばね６の可動部側の端部に対して反対側の端部が固定されており、配線基板１０からワイヤばね６を通して可動部の駆動コイル３，４，５に電流を供給している。
【００３７】
フォーカス駆動コイル３，トラッキング駆動コイル４およびラジアルチルト駆動コイル５はそれぞれ独立したコイル線材で巻回されており、それぞれの駆動コイル３，４，５は各々複数の渦巻状のコイルが２連または４連に連なって構成され、可動部の中心を３軸駆動するようになっている。したがって、駆動コイル３，４，５のコイル線の端部は合計６箇所（２箇所×３軸分）存在する。
【００３８】
これら６箇所のコイル線端部は、対物レンズ保持部材２のトラッキング方向の両側側面に２箇所ある中継基板２０にそれぞれ３箇所ずつ半田固定され、中継基板２０の配線パターンによって６本のワイヤばね５と電気的に接続されている。
【００３９】
図２は中継基板の構成を示す説明図であり、図２（ａ）は中継基板の表側、図２（ｂ）は中継基板の裏側を示すものであり、２１（２１ａ，２１ｂ，２１ｃ）はワイヤばね固定ランド、２２（２２ａ，２２ｂ，２２ｃ）はコイル線固定ランド、２３（２３ａ，２３ｂ）はスルーホールを示す。
【００４０】
中継基板２０の表側には、図２（ａ）に示すように、３つのワイヤばね固定ランド２１がフォーカシング方向に並列させて形成されている。なお、以下において、３つのワイヤばね固定ランド２１を上側から順にワイヤばね固定ランド２１ａ，２１ｂ，２１ｃと称することにする。また、最下のワイヤばね固定ランド２１ｃの下方位置にコイル線固定ランド２２ｃが形成されており、ワイヤばね固定ランド２１ｃとコイル線固定ランド２２ｃとは配線パターンによって電気的に接続されている。また、ワイヤばね固定ランド２１ａ，２１ｂの側方にはそれぞれ小ランドが形成されており、ワイヤばね固定ランド２１ａ，２１ｂと小ランドとは配線パターンによって電気的に接続されている。さらに、前記小ランドには導電性のスルーホール２３ａ，２３ｂが形成されている。
【００４１】
中継基板２０の裏側には、図２（ｂ）に示すように、表側の小ランドに対向する位置に小ランドが形成されており、これら互いに対向する小ランドはスルーホール２３ａ，２３ｂによって電気的に接続されている。また、中継基板２０のコイル線固定ランド２２ａ，２２ｂが２つ並べて形成されており、これらのコイル線固定ランド２２ａ，２２ｂは裏側の小ランドにそれぞれ配線パターンによって接続されている。このように、裏側に形成された２つのコイル線固定ランド２２ａ，２２ｂはスルーホール２３ａ，２３ｂを介して表側に形成された２つのワイヤばね固定ランド２１ａ，２１ｂに電気的に接続される。
【００４２】
そして、中継基板２０の裏面が対物レンズ保持部材２に対する接着面となり、裏側の小ランドが対物レンズ保持部材２に隠れ、中継基板２０の下部が対物レンズ保持部材２からフォーカシング方向下方に突出するように中継基板２０が対物レンズ保持部材２に固定される。このとき、中継基板２０に形成された３つのコイル線固定ランド２２は、対物レンズ保持部材２の下部に配置される。
【００４３】
一方の中継基板２０に接続される３本のコイル線において、１本のコイル線の端部は、中継基板２０の表面のコイル線固定ランド２２ｃに半田固定され、他の２本のコイル線の端部は、コイル線固定ランド２２ａ，２２ｂに半田固定されている。具体的には、図２に示すように、ラジアルチルト駆動コイル５の一方の端部が中継基板２０の表面のコイル線固定ランド２２ｃに半田固定され（図には半田は表示していない）、表面側の配線パターンを通り、１つのワイヤばね固定ランド２１ｃにつながっている。また、トラック駆動コイル４の一方の端部およびラジアルチルト駆動コイル５の他方の端部は、中継基板２０の裏面側のコイル線固定ランド２２ａ，２２ｂに接続（半田固定）されている。
【００４４】
なお、他方の中継基板２０は、一方の中継基板２０に対して面対称であり、中継基板２０の３つのコイル線固定ランド２２に、フォーカス駆動コイル３の両端部と、トラック駆動コイル５の他方の端部が配線される。
【００４５】
このように一部のコイル線の端部を中継基板２０の裏側に配置することにより、３本のコイル線の端部が近接することがないので、別の箇所を半田するときに、既に固定した部分が融解しにくくなり、互いにショートする危険性も少なくなる。また、小型の対物レンズ駆動装置を構成することが可能である。
【００４６】
また、実施形態１においては、中継基板２０における３つのコイル線固定ランド２２が形成された部位が、可動部上フォーカシング方向において対物レンズ１と反対側に配置されているため、可動部の重心バランスが取りやすくなる。
【００４７】
（実施形態２）
図３は本発明の実施形態２を説明するための対物レンズ駆動装置の斜視図である。なお、図３において、図１３に示す従来例１または図１，２に示す実施形態１における部材と同一の部材、または同一機能の部材については同一の符号を付して、詳細な説明は省略する。
【００４８】
実施形態２は、実施形態１に対して中継基板の構成とコイル線端部の接続の方法が異なるだけで、対物レンズ駆動装置の全体の構成は実施形態１と同じである。
【００４９】
図４は中継基板の構成を示す説明図であり、図４（ａ）は中継基板の表側、図４（ｂ）は中継基板の裏側を示すものである。
【００５０】
中継基板２０の表側には、図４（ａ）に示すように、３つのワイヤばね固定ランド２１がフォーカシング方向に並列させて形成されている。また、３つのワイヤばね固定ランド２１ａのフォーカス方向下方に３つのコイル線固定ランド２２がタンジェンシャル方向に並べて形成されている。ここで、３つのワイヤばね固定ランド２１において上側から順にワイヤ固定ランド２１ａ，２１ｂ，２１ｃと称する。同様に、３つのコイル線固定ランド２２において、固定部材７に対して近い方から順にコイル線固定ランド２２ａ，２２ｂ，２２ｃと称する。
【００５１】
ワイヤばね固定ランド２１ｃとコイル線固定ランド２２ｃとが配線パターンによって接続されている。また、上側２つのワイヤばね固定ランド２１ａ，２１ｂのタンジェンシャル方向側部に配線パターンを介して小ランドが形成されており、これらの小ランドに導電性のスルーホール２３ａ，２３ｂが形成されている。さらに、コイル線固定ランド２２ａ，２２ｂ，２２ｃにそれぞれ導電性のスルーホール２３ｃ，２３ｄ，２３ｅが形成されている。
【００５２】
中継基板２０の裏側には、図４（ｂ）に示すように、表側においてコイル線固定ランド２２ａ，２２ｂに対向する位置にコイル線固定ランド２２ｄ，２２ｅが形成されている。また、表側においてワイヤばね固定ランド２１ａに接続した小ランドに対向する裏側の小ランドと、裏側におけるコイル線固定ランド２２ｃとが配線パターンによって接続されており、表側においてワイヤばね固定ランド２１ｂに接続した小ランドに対向する裏側の小ランドと、コイル線固定ランド２２ｄとが配線パターンによって接続されている。
【００５３】
このように、ワイヤばね固定ランド２１ａは２つのスルーホール２３ａ，２３ｃを介してコイル線固定ランド２２ａに接続されており、ワイヤばね固定ランド２１ｂは２つのスルーホール２３ｂ，２３ｄを介してコイル線固定ランド２２ｂに接続されている。
【００５４】
そして、中継基板２０の裏面が対物レンズ保持部材２に対する接着面となり、中継基板２０の下部が対物レンズ保持部材２からフォーカシング方向下方に突出するように中継基板２０が対物レンズ保持部材２に固定される。中継基板２０に形成された各コイル線固定ランド２２は、対物レンズ保持部材２の下部に配置される。
【００５５】
一方の中継基板２０に接続される、３本のコイル線の端部は、スルーホール２３ｃ，２３ｄ，２３ｅに対し、裏側から表側に挿通された状態で半田固定されている（図には半田は表示していない）。具体的には、図３に示すように、ラジアルチルト駆動コイル５の一方の端部は、スルーホール２３ｅに挿通され、コイル線固定ランド２２ｃを介してワイヤばね固定ランド２１ｃに固定されたワイヤばね６に電気的に接続される。同様に、トラック駆動コイル４の端部はスルーホール２３ｄに挿通され、スルーホール２３ｂで表面側に移動し、ワイヤばね固定ランド２１ｂに固定されたワイヤばね６に電気的に接続される。ラジアルチルト駆動コイル５の他方の端部は、スルーホール２３ｃに挿通され、スルーホール２３ａで表面側に移動し、ワイヤばね固定ランド２ａに固定されたワイヤばね６に電気的に接続される。
【００５６】
ここで、コイル線固定ランド２２ｃのスルーホール２３ｅは、電気的につながっているスルーホールである必要はなく、コイル先端部を裏側からスルーホール２０ｃに挿通させてコイル線固定ランド２２ｃに接続しても良い。
【００５７】
このように構成することにより、コイル線端部の位置を確実にランドの位置に設定することができ、配線を確実に行うことができる。さらに、コイル線端部はスルーホールにガイドされているので、近接した部分を半田する際に既に半田作業が終わった部分が融解しコイル線が外れるのを防ぐことができる。
【００５８】
なお、フォーカス駆動コイル３およびラジアルチルト駆動コイル５は、対物レンズ保持部材２のタンジェンシャル方向における両側側面に２連ずつ、合計４連で１つの駆動コイルを形成しているが、１本のコイル線材で４連に製作することが難しいために２連のコイルを製作し、２個つなげて使用する構成にする場合もある。この場合、対物レンズ保持部材２のタンジェンシャル方向における両側の２連コイルの接続用として、中継基板２０に別のパターンを形成して接続しても良い。
【００５９】
ところで、高密度化の要求などにより、チルトマージンが小さい光ディスクシステムの場合には実施形態１，２のようなラジアルチルト方向だけでなく、タンジェンシャルチルト方向の補正も必要になる場合がある。この場合、対物レンズ駆動装置には４系統の駆動コイルと、駆動コイルに電流を供給するためのワイヤばねが８本必要となる。このような４軸駆動の対物レンズ駆動装置の実施形態について説明する。
【００６０】
（実施形態３）
図５は本発明の実施形態３を説明するための対物レンズ駆動装置の斜視図であり、２５は中継基板を示す。なお、図５において、図１５に示す従来例２における部材と同一の部材、または同一機能の部材については同一の符号を付して、詳細な説明は省略する。
【００６１】
対物レンズ１は対物レンズ保持部材２に保持されており、対物レンズ保持部材２のタンジェンシャル方向における両側２つの側面にはフォーカス駆動コイル３，トラック駆動コイル４，ラジアルチルト駆動コイル５が取り付けられ、またトラッキング方向における対物レンズ保持部材の両側２箇所には中継基板２５がフォーカシング方向に垂直な面に平行に配置され、可動部を構成している。可動部は８本の導電性のワイヤばねによって支持されており、対物レンズをフォーカシング方向，トラッキング方向，ラジアルチルト方向およびタンジェンシャルチルト方向に移動可能に支持されている。
【００６２】
実施形態３においては、フォーカス駆動コイル３がタンジェンシャルチルト方向の駆動に用いられている。すなわち、可動部の一方のタンジェンシャル方向側面に設けたフォーカス駆動コイル３をフォーカス駆動コイル３ａ、他方のタンジェンシャル方向側面に設けたフォーカス駆動コイル３をフォーカス駆動コイル３ｂとした場合、フォーカス駆動コイル３ａ，フォーカス駆動コイル３ｂにそれぞれ独立した給電を行い、フォーカス方向の推力に差を設けることによって、タンジェンシャルチルト方向の駆動を可能になる。
【００６３】
８本のワイヤばね６はフォーカシング方向に垂直な同一面上かつ可動部のタンジェンシャル方向両側から可動部を支持していることにより、可動部に多くの配線をつなげることが可能なだけではなく、タンジェンシャルチルト方向の可動性が良好で、フォーカシング駆動によるタンジェンシャルチルト方向のクロスアクションが理論上発生しない構成となっている。
【００６４】
また、駆動コイル３ａ，３ｂ，４，５に対向して駆動用磁石９が設置されており、駆動用磁石９はベースに一体に形成されたヨークに固定されている。ベースの一部には固定部材７が取り付けられ、配線基板１０が固定されている。ここに前述のワイヤばね６の可動部の端部と反対側の端部が固定され、配線基板１０を通して駆動コイル３ａ，３ｂ，４，５に電流が供給される。
【００６５】
フォーカス駆動コイル３ａ，３ｂ、トラッキング駆動コイル４およびラジアルチルト駆動コイル５が独立したコイル線材で巻回されており、それぞれの駆動コイル３ａ，３ｂ，４，５は各々複数の渦巻状のコイルが２連または４連に連なって構成され、可動部の中心を駆動するようになっている。
【００６６】
したがって、コイル線の端部は合計８箇所（２箇所×４軸分）ある。これらのコイル線端部は対物レンズ保持部材２のトラッキング方向の両側側面に２箇所ある中継基板２５，２５にそれぞれ４箇所ずつ半田固定されており、前述の８本のワイヤばねと電気的に接続されている。
【００６７】
図６は可動部における中継基板付近の構成を示す説明図であり、図６（ａ）は中継基板の表側、図６（ｂ）は中継基板の裏側を示すものである。
【００６８】
実施形態１，２の中継基板１０（図１，図３参照）は、トラッキング方向に垂直な平面と平行に配置されていたが、実施形態３では８本のワイヤばね６が同一平面上に配置されているため、中継基板２５はフォーカシング方向に垂直な平面と平行に配置されている。
【００６９】
中継基板２５の表側には、図６（ａ）に示すように、ワイヤばね固定ランド２６が４箇所に形成されており、それぞれが矩形の頂点の位置関係で配置されている。ここで、４箇所のワイヤばね固定ランド２６を、ワイヤばね固定ランド２６ａ，２６ｂ，２６ｃ，２６ｄと称し、ワイヤばね固定ランド２６ａ，２６ｂに一方の固定部材７からのワイヤばね６，６、およびワイヤばね固定ランド２６ｃ，２６ｄに他方の固定部材７からのワイヤばね６，６が固定されているものとする。ワイヤばね固定ランド２６ａ，２６ｂ，２６ｃ，２６ｄの対物レンズ１側には、４つのコイル線固定ランド２７がタンジェンシャル方向に並べて形成されており、図６を正面視した場合、左側からコイル線固定ランド２７ａ，２７ｂ，２７ｃ，２７ｄと称することにする。また、コイル線固定ランド２７ａ，２７ｂ，２７ｃ，２７ｄにはそれぞれ導電性のスルーホール２８ａ，２８ｂ，２８ｃ，２８ｄが形成されている。
【００７０】
中継基板２５の表側において、コイル線固定ランド２７ｂがワイヤばね固定ランド２６ａに配線パターンによって接続され、コイル線固定ランド２７ｃがワイヤばね固定ランド２７ｃに配線パターンによって接続されている。また、ワイヤばね固定ランド２６ｂ，２６ｄの側方には配線パターンを介して小ランドが並べて形成されており、これら小ランドに導電性のスルーホール２８ｅ，２８ｆが形成されている。
【００７１】
中継基板２５の裏側には、図６（ｂ）に示すように、表側におけるワイヤばね固定ランド２６ｂ，２６ｃに対応する小ランドに対向して、小ランドが形成されており、これら小ランドはスルーホール２８ｅ，２８ｆによって電気的に接続されている。また、表側においてコイル線固定ランド２７ａ，２７ｄに対向して、中継基板２７の裏側に２つのコイル線固定ランド（図示せず）が形成されており、両者は、スルーホール２８ａ，２８ｄによって電気的に接続されている。さらに、コイル線固定ランド２７ａに対向するコイル線固定ランドが、ワイヤばね固定ランド２６ｂに対応する裏側の小ランドに、コイル線固定ランド２７ｄに対向するコイル線固定ランドがワイヤばね固定ランド２６ｄに対応する裏側の小ランドに配線パターンによって接続されている。
【００７２】
中継基板２５におけるコイル線固定ランド２７ａ，２７ｂ，２７ｃ，２７ｄが形成されている部位の裏側が接着面となり、対物レンズ保持部材２に固定される。ここで、対物レンズ保持部材２における中継基板２５の固定部位において、スルーホール２８ａ，２８ｂ，２８ｃ，２８ｄに重なる部分にそれぞれ対応した、４つのコイル線挿通孔２ａが形成されている。また、対物レンズ保持部材２の裏側におけるコイル線挿通孔２ａの開口部位は、図６（ｃ）に示すように中継基板２５に向かってテーパ状に形成されており、コイル線挿通孔２ａは、中継基板２５の取り付け面側ではスルーホール２８の径に対して小さく形成され、中継基板２５の取り付け面と反対側ではスルーホール２８の径に対して大きく形成されている。
【００７３】
このように、トラッキング方向において可動部の端の方に位置する２箇所のワイヤばね固定ランド２６ｂ，２６ｄからの配線パターンはスルーホール２８ｅ，２８ｆを通って中継基板２５の裏面側に移動し、スルーホール２８ａ，２８ｄを通るように電気的に接続されている。また、トラッキング方向において、対物レンズ１側に位置する２箇所のワイヤばね固定ランド２６ａ，２６ｃからの配線パターンはそのまま中継基板２５の表面側を通り、コイル固定ランド２７ａ，２７ｄにつながっている。
【００７４】
そして、４本のコイル線の端部は、コイル線挿通孔２ａからそれぞれ挿通され、コイル線固定ランド２７ａ，２７ｂ，２７ｃ，２７ｄに接続される。なお、他方の中継基板２５は、一方の中継基板２５に対して面対称であり、例えば、一方の中継基板２５にラジアルチルト駆動コイル５の両端、およびフォーカス駆動コイル３ａの両端が接続され、他方の中継基板２５にトラック駆動コイル４の両端、およびフォーカス駆動コイル３ｂの両端を接続される。その結果、配線基板１０から中継基板２５，２５を介して各駆動コイル３ａ，３ｂ，４，５に電流を供給することができる。
【００７５】
このように実施形態３によれば、コイル線固定ランド２７が線材を位置決めするのが難しい場所に配置されているため、実施形態１と同様に、コイル線固定ランド２７にスルーホール２８を設けてコイル線の端部を挿通することにより、組付性を向上している。またコイル線の端部をスルーホール２８に挿通しておくことにより、近接した部分を半田する際に既に半田作業が終わった部分が融解しコイル線が外れるのを防ぐことができる。
【００７６】
また、実施形態３によれば、図６（ｃ）に示すように、対物レンズ保持部材２のコイル線挿通孔２ａは、中継基板２５の取り付け面側ではスルーホール２８の径に対して小さく形成され、中継基板２５の取り付け面と反対側ではスルーホール２８の径に対して大きく形成されているので、コイル線の端部を挿通する際にコイル線先端をスルーホール２８に導くガイドとなり、組付性を良くすることができる。
【００７７】
（実施形態４）
図７は本発明の実施形態２を説明するための対物レンズ駆動装置の斜視図である。なお、図７において、図１５に示す従来例２または図５，図６に示す実施形態３における部材と同一の部材、または同一機能の部材については同一の符号を付して、詳細な説明は省略する。
【００７８】
実施形態４は、実施形態３に対して中継基板の構成および裏面の配線パターンが異なるだけで、対物レンズ駆動装置の全体の構成は実施形態３と同じである。
【００７９】
図８は可動部における中継基板付近の構成を示す説明図であり、図８（ａ）は中継基板の表側、図８（ｂ）は中継基板の裏側を示すものである。
【００８０】
実施形態４の中継基板２５は、ワイヤばね固定ランド２６の形成部位のタンジェンシャル方向両側を、実施形態３の中継基板２５より短く形成し、全体としてＴ字状に構成したものである。そして、ワイヤばね固定ランド２６ａ，２６ｂ，２６ｃ，２６ｄにスルーホール２８ｅ，２８ｆ，２８ｇ，２８ｆを形成し、裏面側の配線パターンに電気的に接続させる。
【００８１】
中継基板２５の裏面においては、表側のコイル線固定ランド２７ａ，２７ｂ，２７ｃ，２７ｄにスルーホール２８ａ，２８ｂ，２８ｃ，２８ｄを介して電気的に接続した４つのコイル線固定ランド（図示せず）が形成されており、これら裏側の４つのコイル線固定ランドが、スルーホール２８ｅ，２８ｆ，２８ｇ，２８ｈを介してワイヤばね固定ランド２６ａ，２６ｂ，２６ｃ，２６ｄに電気的に接続するように、中継基板２５の裏面に配線パターンが形成されている。
【００８２】
このように実施形態４によれば、タンジェンシャルチルト方向の可動性を向上させるために、ワイヤばね固定ランド２６上にスルーホール２８を配置して、タンジェンシャル方向に並んでいるワイヤばね６の固定端の間隔を小さくしたことにより、実施形態３に比較してタンジェンシャルチルト方向の可動性を向上させることができる。
【００８３】
また、実施形態４においても、図６（ｃ）に示すようにコイル挿通孔２ａが形成されており、コイル線の端部を挿通する際にコイル線先端をスルーホール２８に導くガイドとなり、組付性を良くすることができる。
【００８４】
（実施形態５）
図９は本発明の実施形態５を説明するための対物レンズ駆動装置の斜視図である。なお、図９において、図１５に示す従来例２または図７，図８に示す実施形態４における部材と同一の部材、または同一機能の部材については同一の符号を付して、詳細な説明は省略する。
【００８５】
実施形態５は、実施形態４に対して中継基板の構成および対物レンズ保持部材における中継基板の取り付け部の構造が異なるだけで、対物レンズ駆動装置の全体の構成は実施形態４と同じである。
【００８６】
図１０は可動部における中継基板付近の構成を示す説明図であり、図１０（ａ）は中継基板の表側、図１０（ｂ）は中継基板の裏側を示すものである。
【００８７】
実施形態５の中継基板２５は、実施形態４のコイル線固定ランド２７ａ，２７ｂ，２７ｃ，２７ｄおよび中継基板２５におけるコイル線固定ランド２７ａ，２７ｂ，２７ｃ，２７ｄの形成部分を削除し、ワイヤばね固定ランド２６にコイル線固定ランド２７の機能を持たせたものであり、実施形態５の中継基板２５は実施形態４の中継基板２５よりも小型に形成されている。また、実施形態４においては中継基板２５の一部が対物レンズ保持部材２から突出していることに対し、実施形態５においては、中継基板２５全体が対物レンズ保持部材２に搭載されている。
【００８８】
中継基板２５表面において、ワイヤばね固定ランド２６ａ，２６ｂ，２６ｃ，２６ｄは矩形の頂点の位置関係で配置されている。さらに、ワイヤばね固定ランド２６ａ，２６ｂ，２６ｃ，２６ｄに導電性のスルーホール２８ａ，２８ｂ，２８ｃ，２８ｄが形成されており、これらスルーホール２８ａ，２８ｂ，２８ｃ，２８ｄによってワイヤばね固定ランド２６ａ，２６ｂ，２６ｃ，２６ｄが中継基板２５の裏面のコイル線固定ランド（図示せず）に電気的に接続されている。また、ワイヤばね固定ランド２６に対するワイヤばね６の固定位置は、スルーホール２８ａ，２８ｂ，２８ｃ，２８ｄの近傍に設定されている。
【００８９】
対物レンズ保持部材２における中継基板２５の固定部位には、コイル線固定ランド２６ａ，２６ｂ，２６ｃ，２６ｄのスルーホール２８ａ，２８ｂ，２８ｃ，２８ｄに重なる部分に、４つのコイル線挿通孔２ａが形成されている。また、対物レンズ保持部材２の裏側におけるコイル線挿通孔２ａの開口部位は、図６（ｃ）に示す形状と同一であり、中継基板２５に向かってテーパ状に形成されており、コイル線挿通孔２ａは、中継基板２５の取り付け面側ではスルーホール２８の径に対して小さく形成され、中継基板２５の取り付け面と反対側ではスルーホール２８の径に対して大きく形成されている。
【００９０】
そして、コイル線挿通孔２ａからコイル線の端部を挿通した状態で、ワイヤばね６を半田固定することにより、従来、別々に行っていたコイル線端部固定の半田作業工程と、ワイヤばね６固定の半田作業工程をまとめて行うことができる。これによって、組付けを容易にし、かつ対物レンズ駆動装置を小型に形成することが可能となる。この場合、ワイヤばね６がコイル線に干渉して位置がずれることを防ぐために、ワイヤばね６の長手方向の中心軸に対してスルーホール２８の中心位置をずらしておくことが望ましい。
【００９１】
なお、実施形態５においても、図６（ｃ）に示すようにコイル挿通孔２ａが形成されており、コイル線の端部を挿通する際にコイル線先端をスルーホール２８に導くガイドとなり、組付性を良くすることができる。
【００９２】
（光ピックアップ装置の実施形態）
図１１は図１〜図１０にて説明した実施形態の対物レンズ駆動装置を搭載した本発明に係る光ピックアップ装置の実施形態を説明するための概略構成図であって、３１は光源、３２はコリメートレンズ、３３はビームスプリッタ、３４は立上げミラー、３５は集光レンズ、３６はシリンドリカルレンズ、３７は受光光学手段としての受光素子、３８は光ディスクであって、３９が前記実施形態の対物レンズ駆動装置である。
【００９３】
光源３１から出射した拡散光は、コリメートレンズ３２によって略平行光になる。その後、ビームスプリッタ３３を通り、立上げミラー３４により折り曲げられる。立上げミラー３４によって折り曲げられた平行光は対物レンズ駆動装置３９の対物レンズ１に入射し、光ディスク３８上に光スポットＳを形成する。光ディスク３８からの光スポットＳの反射光は、ビームスプリッタ３３によって偏向されて、集光レンズ３５とシリンドリカルレンズ３６を通った後、受光素子３７に入射する。
【００９４】
このように、光ディスク３８上の光スポットＳの反射光が受光素子３７に入射するように配置しておく。受光素子３７で得られた信号を基にして、演算処理部などの対物レンズ制御手段（図示せず）によって制御信号を生成し、対物レンズ駆動装置３９に出力することにより、フォーカスコイル，トラックコイルを駆動し、光ディスク３８に対して対物レンズ１を追従させることにより光ディスク３８に記録された情報を再生することができる。さらに、図示しないチルトセンサにより光ディスク２８の傾きを検出し、それに応じた電流を対物レンズ駆動装置３９のチルトコイル（図示せず）に流すことにより、光ディスク３８に対して対物レンズ１を傾斜させてチルト補正を行う。
【００９５】
ここで、対物レンズ駆動装置３９は図１〜図１０にて説明した各実施形態の構成の対物レンズ駆動装置であって、既述したように、この対物レンズ駆動装置３９を用いることによって、面ぶれ，偏心，反りの大きな光ディスク３８を高速に回転させた場合でも、対物レンズ１を光ディスク３８に対して追従させることが可能になる。すなわち良好な信号を高速で記録再生することができる。
【００９６】
（光ディスク装置の実施形態）
図１２（ａ）は図１〜図１０にて説明した実施形態の対物レンズ駆動装置を備えた図１１の光ピックアップ装置を搭載した光ディスク装置の実施形態を説明するための概略構成を示す平面図、図１２（ｂ）は図１１の光ディスク装置の正面図であり、４０は図３１にて説明した光ピックアップ装置であって、光ピックアップ装置４０は、光源３１，コリメートレンズ３２，シリンドリカルレンズ３６，受光素子３７，対物レンズ駆動装置３９などから構成されている。
【００９７】
さらに、４１は光ディスク装置の筐体、４２は防振ゴム、４３は光ディスク３８の回転駆動手段であるスピンドルモータ、４４はシークレール、４５はピックアップモジュールベースであって、光ディスク装置の筐体４１に防振ゴム４２を介してピックアップモジュールベース４５が設置されている。ピックアップモジュールベース４５には光ディスク３８を回転駆動させるスピンドルモータ４３が設置されている。また、ピックアップモジュールベース４５に取り付けられたシークレール４４には光ピックアップ装置４０が搭載されている。光ピックアップ装置４０は、図示しないシークモータなどからなるピックアップ駆動手段によってシークレール４４上を光ディスク２８の半径方向に移動駆動される。
【００９８】
ここで図１１，図１２に示す光ディスク装置に搭載されている光ピックアップ装置４０は既述した構成の光ピックアップ装置であって、面ぶれ，偏心，反りの大きな光ディスク３８を高速に回転させた場合でも、対物レンズ１を光ディスク３８に対して追従させることが可能である。したがって、本実施形態例の光ディスク装置は記録／再生を良好に、しかも高速に行うことが可能になる。
【産業上の利用可能性】
【００９９】
本発明は、高密度，大容量の光ディスクを記録媒体とする記録／再生装置等に利用可能である。
【図面の簡単な説明】
【０１００】
【図１】本発明の実施形態１を説明するための対物レンズ駆動装置の斜視図
【図２】図１の中継基板の構成を示す説明図
【図３】本発明の実施形態２を説明するための対物レンズ駆動装置の斜視図
【図４】図３の中継基板の構成を示す説明図
【図５】本発明の実施形態３を説明するための対物レンズ駆動装置の視図
【図６】図５の可動部における中継基板付近の構成を示す説明図
【図７】本発明の実施形態２を説明するための対物レンズ駆動装置の斜視図
【図８】図７の可動部における中継基板付近の構成を示す説明図
【図９】本発明の実施形態５を説明するための対物レンズ駆動装置の斜視図
【図１０】図９の可動部における中継基板付近の構成を示す説明図
【図１１】図１〜図１０にて説明した実施形態の対物レンズ駆動装置を搭載した本発明に係る光ピックアップ装置の実施形態を説明するための概略構成図
【図１２】図１〜図１０にて説明した実施形態の対物レンズ駆動装置を備えた図１１の光ピックアップ装置を搭載した光ディスク装置の実施形態を説明するための概略構成を示す説明図
【図１３】従来例１としての対物レンズ駆動装置を示す斜視図
【図１４】中継基板１１付近の拡大図
【図１５】従来例２としての対物レンズ駆動装置を示す斜視図
【図１６】中継基板１１付近の拡大図
【符号の説明】
【０１０１】
１  対物レンズ
２  対物レンズ保持部材
２ａ  コイル挿通孔
３，３ａ，３ｂ  フォーカス駆動コイル
４  トラック駆動コイル
５  ラジアルチルト駆動コイル
６  ワイヤばね
７  固定部材
８  ベース
９  駆動用磁石
１０  配線基板
２０，２５  中継基板
２１，２１ａ，２１ｂ，２１ｃ，２６，２６ａ，２６ｂ，２６ｃ，２６ｄ  ワイヤばね固定ランド
２２，２２ａ，２２ｂ，２２ｃ，２７，２７ａ，２７ｂ，２７ｃ，２７ｄ  コイル線固定ランド
２３，２３ａ，２３ｂ，２３ｃ，２３ｄ，２３ｅ，２８，２８ａ，２８ｂ，２８ｃ，２８ｄ，２８ｅ，２８ｆ，２８ｇ，２８ｈ  スルーホール
３１  光源
３７  受光素子
３９  対物レンズ駆動装置
４０  光ピックアップ装置
４３  スピンドルモータ
【図１】
2005267708.tif 000003
【図２】
2005267708.tif 000004
【図３】
2005267708.tif 000005
【図４】
2005267708.tif 000006
【図５】
2005267708.tif 000007
【図６】
2005267708.tif 000008
【図７】
2005267708.tif 000009
【図８】
2005267708.tif 000010
【図９】
2005267708.tif 000011
【図１０】
2005267708.tif 000012
【図１１】
2005267708.tif 000013
【図１２】
2005267708.tif 000014
【図１３】
2005267708.tif 000015
【図１４】
2005267708.tif 000016
【図１５】
2005267708.tif 000017
【図１６】
2005267708.tif 000018